(57)【特許請求の範囲】
【請求項１】
手で握るのに適当な長さと剛性とを有し、一側に支持軸ホールが形成された爪切り本体と；
互いに向かい合う切断刃と、この切断刃と隣接してそれぞれの支持軸ホールを有し、剛性と弾性とを有し、互いに向き合う上部刃体及び下部刃体とから構成される爪切り刃体と；
前記爪切り本体の上部に位置され、支持軸を媒介にして刃体と本体とを通じて連結され、梃子作用で刃体を動作させる梃子とから構成されたものであって、
前記爪切り本体を前記支持軸を基準にして前記爪切り刃体と前記梃子の中間にのみおき、この本体の上部には前記梃子が位置され、下部には前記爪切り刃体が位置され、刃体が完全開放された形態となって支持軸を中心として刃体を回転させる時、障害物の干渉無しに３６０゜範囲内で一度に回転操作が可能なようにし、
前記爪切り刃体は剛性区間と弾性区間とを有し、この弾性区間には押圧応力による応力集中を分散させて刃体の破断を防止すると共に、柔軟な弾性を保障するための破断防止及び弾性柔軟手段を有し、
前記上部刃体の上面には支持軸ホールに近接して突出された一つ以上のクリック突起が更に備えられたことを特徴とする爪切り。
【請求項２】
前記刃体の破断防止及び弾性柔軟手段は、前記上部刃体と下部刃体との弾性区間で残存部位が同一な幅を維持するようにした長孔を形成したことを特徴とする請求項１に記載の爪切り。
【請求項３】
前記上部刃体と下部刃体との剛性区間の両側端には刃体の剛性を補強するように直角で折り曲げられた補強リブが含まれていることを特徴とする請求項１に記載の爪切り。
【発明の詳細な説明】
【技術分野】
【０００１】
本発明は、爪を切ることができるようにした爪切り用刃体及びこれを用いた爪切りに関し、剛性のある本体を基準とし、本体の一側端に形成された支持軸ホールを貫通した支持軸を媒介にして上端には梃子が設けられ、下端には爪切り刃体が設けられたものであって、使用方向によって爪切り刃体の下端を直接握り、支持軸を中心として容易に回転させることができ、梃子の回転時、刃体が共に回らないようにし、使用中、刃体の任意回転を防止し、刃体を段階別角度で左右回転させて所望の角度で爪を切ることができるようにし、且つ、刃体の柔軟な弾性動作と薄い金属板材の使用による剛性を増大させる手段及びこの刃体を用いて刃体の段階別回転が可能であり、支持軸と梃子の簡単な組立構造と、支持軸の離脱不良をなくすようにした爪切りに関するものである。
【背景技術】
【０００２】
本発明と関連した爪切りの先行技術として、米国特許第６，１７３，４９７号、日本国特開平１１−１６９２２７号（１９９９．６．２９）、米国特許第７９６，３８９号、米国特許第８０６，０３７号、米国特許第５，４８８，７７２号、日本国実開昭５７−２７２０４号（１９８２．２．１２）、国際公開  ＷＯ  ０２／０６７７２０、そして、国際公開  ＷＯ  ０２／３９８４４（対応日本国特願２００２−１４２８５３）がある。
【０００３】
本発明に適用される爪切り刃体の回転操作構造と関連した米国特許第６，１７３，４９７号は、刃体（Ｊａｗ）をピン（ｈｏｏｋｅｄ  ｅｎｄｓ）を媒介にして梃子（ｈａｎｄｌｅｓ）に連結し、刃体が梃子から回転（ｒｏｔａｔｉｎｇ）されるように構成されている。しかし、この特許による爪切りは使用の際、二つの梃子を広げたり畳んだりする不便さがあり、刃体の角度を設定する構造がなくて使用中に刃体が任意のまま容易く回転されることを防止する手段がない。また、刃体（ｊａｗ  ｐｉｎｃｅｒ）が単一体（ｓｉｎｇｌｅ  ｐｉｅｃｅ  ｃｏｎｓｔｒｕｃｔｉｏｎ）からなった場合、弾性を柔軟にする手段とか剛性を補強する手段がない。なお、両梃子が刃体を上下から包んだ状態で両側で向かい合っているように構成されており、刃体の回転操作が不便である。
【０００４】
日本国特開平１１−１６９２２７号の第１の実施例は、使用者が所望の角度で刃体を回転して使用するようになっているが、刃体が支持体（本体）の上板と下板との間に挿入されており、回転しようとしたら、指で刃体を本体から押し出した後、使用しようとする回転角にさらに調節しなければならない不便がある。第２の実施例は、刃体の下部が開放されており、直接刃体を回転させることができるが、刃体の後尾が支持体（本体）とリベットとして結合されており、回転が自由でなく、且つ、回転状態で使用しようとしたら、支持体（本体）と梃子とが交わって押圧することになっており、押圧動作が不自然となり、爪切断力が偏向される短所がある。
【０００５】
米国特許第７９６，３８９号、米国特許第８０６，０３７号は共通的に本発明と関連した刃体と、この刃体を操作させるための梃子とを有している。
【０００６】
ところが、特に、これら刃体の構造をみると、板型を単純に折り曲げて前端に切断刃を形成した構造であって、刃体の剛性構造とか弾性の柔らかな動作構造が開示されていない。このような場合、次のような問題が発生する。
【０００７】
梃子を操作して両刃を噛まれ動作（爪を切る動作）する場合、刃体が薄くて剛性が弱い場合、刃体が撓んで切断力が弱く伝達される。これを防止するために、刃体の板厚さを増加させなければならないが、このような場合、刃体の折り曲げ中心部が強くなり、刃体の押圧動作が柔らかず、梃子の操作が難しくなる。従って、刃体を押圧力が直ちに刃部位に伝達され、煎断力として作用しようとしたら、刃体に剛性がなければならず、柔らかい弾発力を持たなければならない、互いに相反される性質を同時に有することができる手段が必要である。
【０００８】
米国特許第５，４８８，７７２号の場合、刃体にいずれか一方から上がってきた側壁を有しているが、これは、梃子のピンを支持するための構成であって、補強の構造でないため、米国特許第７９６，３８９号、米国特許第８０６，０３７号のような、同一な問題は残っていることになる。
【０００９】
日本国実開昭５７−２７２０４号の場合、爪飛散防止を目的とし、上下刃体の両側面に側壁を有しているが、これは、柔らかい弾性を提供する手段が提示されておらず、実際使用されないものである。
【００１０】
そして、国際公開  ＷＯ  ０２／０６７７２０は爪切りとして共通的に刃体と、この刃体を操作させるための梃子とを有しているが、刃体を回転させて使用するための目的でないものである。しかし、これら刃体の構造をみると、板材を折り曲げた中心部に円形の孔を穿孔して構成した弾性部と、幅を広くし、やや曲げた形態の剛性部を開示した構造を有してはいるが、このような場合、次のような問題が発生する。爪切りは製造過程で刃の耐久性のために、プレス成型後、ほとんど熱処理過程を経て高い硬度を有することになる。このような材質において、長さの短い刃体を中央で折り曲げて上下刃体を形成した場合、使用の際、繰返して押圧応力は折り曲げ中心部に集中することになり、特に、折り曲げ中心部の幅が一番狭いところに集中して容易く破断が生じて使用できないようになる。上記発明の特許請求（ｃｌａｉｍｓ）事項によると、“適切な弾性のために必要な数の孔と、その大きさは調節できる”とすることにより、これは、適切な弾性を提供することはできるが、繰返される応力を広く均等に分布させることができる方案が提示されておらず、応力集中現象による刃体の破断を防ぐことはできない。さらに、剛性部（Ｒｉｇｉｄ  ｓｅｃｔｉｏｎ）を維持するために補強リブ（ｒｅｉｎｆｏｒｃｉｎｇ  ｒｉｂ）（Ｓｔｉｆｆｅｎｉｎｇ  ｒｉｂｓ）を折り曲げ中心部（ｂｅｎｄ）と幅広い端部（ｗｉｄｅ  ｅｎｄ  ｓｅｃｔｉｏｎｓ）間に形成させて弾性部位を折り曲げ中心部として極めて制限しており、上下刃体を縮めて噛み動作（爪を切る動作）させるための力（ｓｔｒｅｓｓ）は折り曲げ（ｂｅｎｄ）部位の孔を中心とした少なくとも残存幅部位に集中する現象をもたらして刃体の使用寿命を極めて短縮させることになる問題点がある。
【００１１】
一方、本発明の爪切りに適用される梃子のヒンジ構造と関連して国際公開  ＷＯ  ０２／３９８４４がある。この公開特許  ＷＯ  ０２／３９８４４には、梃子の両側アーム部が形成される凹部に対向する突出部が構成され、支持軸は円筒上端で両側面の一部を切り出して係止溝をなした形状からなり、上記両突出部が上記円筒上端の係止溝に組み立てられて梃子作用により支持軸を引く役割をする。このような場合、梃子の梃子作用により支持軸と梃子との突出部が受ける引張り力は突出部をアーム部側に押し出す側方力として作用するため、使用素材によっては、両側アーム部が開かれて支持軸から離脱する恐れがある。また、上記支持軸は円筒上端で両側面の一部を切り出して係止溝をなした形状からなっており、係止溝を大きくしようとしたら、円筒の残余厚さを減少させなければならないため、係止溝を大きくすることができず、係止部が非常に脆弱なようになる。このような場合、支持軸の係止部が少しの破損や摩耗によっても梃子の突出部が支持軸から離脱されることができる。これは、特に、梃子が合成樹脂材から製作される場合に憂慮される事項である。
【発明の開示】
【発明が解決しようとする課題】
【００１２】
本発明は上記のような従来の技術の諸般問題点を解決するためのものであって、剛性のある本体を基準とし、本体の一側端に形成された支持軸ホールを貫通した支持軸を媒介にして上端には梃子が設けられ、下端には爪切り刃体を設けることにより、使用方向によって爪切り刃体の下端を直接握り、本体から容易に回転させることができ、梃子の回転時、刃体が共に回らないようにし、使用中、刃体の任意回転を防止し、刃体を段階別角度で左右回転させて所望の角度で爪を切ることができるようにしたことを目的とする。
【００１３】
また、刃体において、上下刃の連結部の柔軟な弾性構造の提供及び応力集中防止構造による刃体の上下連結部の破断を防止し、刃体の両側面に補強リブによる非弾性剛性区間を提供して押圧力の損失無しに直ちに刃体に伝達されて容易に切断作用をし、自然に切断された爪の飛散を防止する爪切りを提供することを目的とする。
【００１４】
なお、梃子と支持軸との結合構造において、支持軸の分割面を経て梃子の突起軸を支持軸ヘッド部に安着させ、支持軸を本体と刃体との支持軸ホールに挟んだ後、支持軸分割面にウェッジを挿入して固定すれば、支持軸分割面が開かれて支持軸底部の係止顎と刃体の底面とが係合するようにした爪切りを提供することを目的とする。
【課題を解決するための手段】
【００１５】
上記の目的を達成するための本発明の具体的な手段として、
剛性のある材料であって、上部がほぼ水平をなし、本体の一側端に支持軸ホールが形成され、その底部には支持軸ホールを中心として爪切り刃体が位置される回転シートが形成され、刃体回転シートに刃体の段階別回転角に鑑みた角度で数個のクリック溝を形成し、中央から後端には研磨鑢などの収容空間を提供する収納部が形成される本体と；
前記本体の上面に位置され、本体を介して爪切り刃体と組み立てられた支持軸のヘッド部と結合されて梃子作用で爪切り刃体に切断力を伝達する梃子は、その一端の凹部の両内側面に軸の形態で対向突出され、支持軸のヘッド部と結合されて支持軸を引き上げる作用をする突起軸と、この両突起軸に段差をおき、互いに連結されて突起軸の開かれを防止する支え軸が形成され、これと隣接して梃子作用が支え役割をする梃子支え部（ｆｕｌｃｒｕｍ  ｐｏｉｎｔ）と、他の一端部には指で押圧て切断力を加えることができる押圧部から構成され；
プラスチックを基材とした複合材料とか金属材であって、上端にはヘッド部が形成され、そのヘッド部の中央に梃子の突起軸安着部が形成され、安着部に連なって下端まで分割面が形成され、分割面の内側面にウェッジ係止突起が形成され、下端には外向きに係止顎が形成され、前記分割面に挿入され、刃体が前記係止顎に固定されるようにすることでウェッジ係止突起に誘導固定されるホールが形成されたウェッジから構成されたことを特徴とする支持軸と；
金属板材を互いに向かい合うように曲げて弾性復元力を有し、上下それぞれに切断刃を有する上部刃体部及び下部刃体部とを一体に形成し、特に、プレス加工後、刃の耐久性を向上させるために熱処理をすることにより、高い硬度と高弾性の性質を有した刃体の押圧弾性を柔らかくするために、より薄い材料を使用し、これに加えて、上下曲げ部から適当な距離を弾性区間として同一な幅で減少させたり、もしくは、一定の厚さで減肉し、この距離内では繰返し押圧応力（ｓｔｒｅｓｓ）が広く分布されるようにして応力集中（ｓｔｒｅｓｓ  ｃｏｎｃｅｎｔｒａｔｉｏｎ）を防止し、刃体の上下折り曲げ部が折れることを防止し、前記上下部刃体部にそれぞれ本体と梃子とを連結する支持軸ホールが穿孔され、支持軸と隣接して本体のクリック溝と相互作用して刃体が段階別に回転可能なようにしたクリック突起と、前記上下部刃の隣接したところから弾性区間の隣接したところまで刃体の両側面を垂直曲げによる上下部補強リブを形成し、非弾性剛性区間として刃体の切断力損失を抑制し、これにより、刃体の材料を薄いものに選択することができ、刃体の材料費を大幅節減でき、刃体を加工するプレスの寿命を向上させて多量生産による原価節減が可能であり、付加的に、切断された爪の飛散を防止するようにした刃体とから構成したことを特徴とする。
【００１６】
前記支持軸ヘッド部を梃子の突起軸と結合した後、この支持軸を本体と刃体との支持軸ホールに挟み、支持軸分割面にウェッジを挿入すると、支持軸分割面が開かれて支持軸底部の係止顎と刃体の底面とが係合して組み立てられるようにしたものである。
【００１７】
更に詳細には、上記課題を解決するために、請求項１に記載の爪切りは、手で握るのに適当な長さと剛性とを有し、一側に支持軸ホールが形成された爪切り本体と；
互いに向かい合う切断刃と、この切断刃と隣接してそれぞれの支持軸ホールを有し、剛性と弾性とを有し、互いに向き合う上部刃体及び下部刃体とから構成される爪切り刃体と；
前記爪切り本体の上部に位置され、支持軸を媒介にして刃体と本体とを通じて連結され、梃子作用で刃体を動作させる梃子とから構成されたものであって、
前記爪切り本体を前記支持軸を基準にして前記爪切り刃体と前記梃子の中間にのみおき、この本体の上部には前記梃子が位置され、下部には前記爪切り刃体が位置され、刃体が完全開放された形態となって支持軸を中心として刃体を回転させる時、障害物の干渉無しに３６０゜範囲内で一度に回転操作が可能なようにし、
前記爪切り刃体は剛性区間と弾性区間とを有し、この弾性区間には押圧応力による応力集中を分散させて刃体の破断を防止すると共に、柔軟な弾性を保障するための破断防止及び弾性柔軟手段を有し、
前記上部刃体の上面には支持軸ホールに近接して突出された一つ以上のクリック突起が更に備えられたことを特徴とする。
【００３０】
請求項２に記載の爪切りは、前記刃体の破断防止及び弾性柔軟手段は、前記上部刃体と下部刃体との弾性区間で残存部位が同一な幅を維持するようにした長孔を形成したことを特徴とする。
【００３４】
請求項３に記載の爪切りは、前記上部刃体と下部刃体との剛性区間の両側端には刃体の剛性を補強するように直角で折り曲げられた補強リブが含まれていることを特徴とする。
【発明を実施するための最良の形態】
【００５２】
以下、添付された図面を参照して本発明の望ましい実施例を詳しく説明する。
【００５３】
なお、本明細書に添付される次の図面などは本発明の望ましい実施例を例示するものであって、後述する発明を実施するための形態と共に本発明の技術思想をもっと理解させる役割をするものであるため、本発明はそのような図面に記載された事項にのみ限定して解釈されてはいけない。
【００５４】
図１は本発明の一実施例による爪切り１００の斜視図であって、図２、図３は本発明の一実施例による爪切りの梃子４０を立てた状態での斜視図及び使用準備状態図であり、図４は本発明の一実施例による爪切り１００の分解斜視図であって、図５は本発明に適用される爪切り刃体２０の剛性区間と弾性区間とを示すための折り曲げ中心部を広げた状態図であり、図６は本発明の一実施例による爪切り１００の裏返された斜視図である。
【００５５】
本発明の爪切り１００は爪切り本体１０、爪切り刃体２０（以下、‘刃体’と略称する）、支持軸３０及び梃子４０が基本的に構成され、ここに、爪手入れ道具５０が選択的に含まれることができる。
【００５６】
上記爪切り本体１０は樹脂材または金属から製作されることができ、樹脂材から製作される場合、例えば、透明素材で射出成形して軽く、清く、鮮明な製品のイメージを与えることができる。
【００５７】
爪切り本体１０は上部がほぼ水平をなし、手で握るのに適当な大きさであって、その一端に貫通された支持軸ホール１１が形成されており、上記支持軸ホール１１の底面には下部から直接指の接近が許容されるように下方が完全開放されて刃体収容部をなす爪切り刃体回転シート１２が形成され、この爪切り刃体回転シート１２には支持軸ホール１１を中心として円周上に放射状に多数のクリック溝１３が形成されている。また、爪切り本体１０の底面には指の把持を安定なようにする弓形の把持部１８が形成されている。この弓形の把持部１８は美麗さを与える付加的な機能も達成する。
【００５８】
上記爪切り刃体回転シート１２は側方及び下方に開放された領域を含むものであって、上記刃体２０が位置、収容される場所となる。従って、爪切り刃体回転シート１２は刃体２０の角度操作のために指で回転操作させる場合、指の自由な接近を許容し、障害物の干渉無しに指で刃体２０の回転動作を３６０゜内で任意角度に操作させ得るようにするためのものである。
【００５９】
上記クリック溝１３は刃体２０の回転角度を測るためのものであって、本実施例では支持軸ホール１１を中心として本体の長さ方向から０度、±４０度、±８０度で刃体２０の回転使用角度に鑑みて方向を設定することができるようにした。従って、クリック溝１３は刃体２０の使用角度を考慮して本実施例よりクリック溝１３の個数を増減させることができる。
【００６０】
また、クリック溝１３は上記爪切り本体１０に横たわっている梃子４０を使用するために、図２のように立てて回転させる場合、刃体２０が共に回ることを防止する機能も遂行する。
【００６１】
この時、クリック溝１３は上記爪切り刃体回転シート１２の表面からわずかに段顎に突出して形成された突出シート１４に形成されている。この突出シート１４は梃子４０の押圧力が刃体２０へ伝達される部分になったりする。
【００６２】
上記刃体２０は金属製から製作されたものであって、一端に互いに向かい合う一対の切断刃２１、２２と、貫通された支持軸ホール２３を有する剛性区間Ｓと、他端が折り曲げられ、弾性区間Ｌを有する上部刃体２５及び下部刃体２６とからなっており、上記弾性区間Ｌには繰返される押圧応力による破断を防止し、柔らかい弾性を保障するために、破断防止及び弾性柔軟手段が提供される。
【００６３】
即ち、図５、図６に図示されたように、弾性区間Ｌは折り曲げ中心部２４から刃体の長さ方向に一定の幅Ｗｃの長孔２４ａを形成して均一に残った幅Ｗ１、Ｗ２が一定距離Ｌ１、Ｌ２をなし、この面積内で繰返し押圧応力を均一に広く分布させることにより、応力集中（ｓｔｒｅｓｓ  ｃｏｎｃｅｎｔｒａｔｉｏｎ）を防ぎ、刃体の上下折り曲げ中心部２４が折れることを防止する。
【００６４】
なお、図１０乃至図１２及び図１７乃至図１９に図示されたように、弾性区間Ｌが刃体の幅Ｗより小さい幅ｗで一定長さＬほど形成することにより、折り曲げ中心部２４の破断防止及び弾性区間Ｌで柔らかい弾性を提供することもできる。
【００６５】
さらに、図１３及び図２０に図示されたように、刃体２０の弾性区間Ｌは剛性区間の厚さＴより相対的に薄い厚さｔで延長された長さによってなされることができる。
【００６６】
一方、上記長孔２４ａには横方向に貫く捻り防止用連結支え台２４ｂを形成して上下刃２１、２２の捻りを防止することができ、図６のように、中間に連結支え台無しに一つの長孔を形成することができる。
【００６７】
図７と図１０の刃体２０は剛性が維持され得る厚い材料を使用して柔軟な弾性手段を提供する例示図であって、図８と図１１のように、剛性区間の撓み防止のための補強のために、上記上部刃体２５と下部刃体２６との剛性区間Ｓ側面で直角に延長して折り曲げられた所定の長さの補強リブ２７、２８の構成要素が追加されたり、図９及び図１２のように、上記上部刃体２５と下部刃体２６との両側端の端面を押圧変形させた補強リブ２７ａ、２８ａの構成要素が追加されることができる。
【００６８】
ここで、補強リブ２７、２８または２７ａ、２８ａは主に１．２mm以下の厚さの鋼材またはステンレススチル材を使用する場合に、刃体２０の撓みを防止する役割をする。
【００６９】
また、補強リブ２７、２８は付加的に刃体２０が噛まれ動作する時、互いに対向して近く接近するので、切られた爪が側方に飛ぶことを防止する機能も遂行する。
【００７０】
図１４乃至図２０は刃体２０のさらに他の変形例であって、図７乃至図１３の刃体２０に上部刃体２５側の上面の支持軸ホール２３に近接して突出された一つのクリック突起２５ａを形成し、このクリック突起２５ａが爪切り本体１０側のクリック溝１３に係合させるためのものである。本発明に適用される刃体２０はクリック突起２５ａが必ず一つに限定されることではなく、複数個から構成されることができるのは勿論である。
【００７１】
本発明で図７乃至図１３のように、刃体２０にクリック突起２５ａがない場合には、図２３のように、ゴムまたはシリコンなどから製作されたワッシャー２９を使用することができる。
【００７２】
なお、刃体２０には図２１のように、金属板形から製作された上部刃体カバー２００が備えられることもできる。図２１は上部刃体カバー２００と刃体２０との分離斜視図及び上部刃体カバー２００と刃体２０との結合状態図である。
【００７３】
上部刃体カバー２００は上部刃体２５の上面に上記爪切り本体１０側の支持軸ホール１１と同軸に位置する支持軸ホール２０１と、この支持軸ホール２０１に近く備えられた一つ以上のクリック突起２０２と、両側面に直角に折り曲げられた形態の爪飛散防止膜２０３とを有する。
【００７４】
図２２は刃体２０の下部刃体２６に装着される下部刃体カバー２１０であって、側方飛散防止膜１１２と、後方飛散防止膜２１３と、支持軸ホール２１１とが備えられたものであり、下部刃体カバー２１０の分離状態後、刃体２０との結合状態を示している。
【００７５】
上記梃子４０は樹脂材または金属から製作されたものであって、図４及び図２９のように、一端が上記支持軸３０の一端部に連結され、これと隣接して上記爪切り本体１０の上面に接触して梃子作用が支え役割をする梃子支え部４１（ｆｕｌｃｒｕｍ  ｐｏｉｎｔ）と、これから延長され、指で押圧して切断力を加え、上記爪切り刃体２０の開かれた切断刃２１、２２を噛み合わせる押圧部４６が形成され、
【００７６】
上記支持軸３０と連結される部分には凹部４２が形成され、この凹部４２の対向面には梯形円筒形態で対向された一対の突起軸４３と、この突起軸４３に段差をおいて互いに連結され、凹部４２が幅方向に開かれることを防止する支え軸４４とから構成されている。
【００７７】
上記支え軸４４は突起軸４３の両端を軸で連結して構成され、突起軸４３の先端面積より小さく構成されている。
【００７８】
上記支持軸３０は図２及び図４のように、爪切り本体１０と、上記爪切り刃体２０の支持軸ホール１１、２３に同軸に挿入されて梃子４０と刃体２０とを連結支持するためのものである。従って、支持軸３０は梃子４０の梃子作用力を刃体２０に伝達する機能を遂行する。
【００７９】
上記支持軸３０は一端に上記梃子４０の突起軸４３に結合される孔３１ａを有する丸い頭形態のヘッド部３１と、このヘッド部３１から中央へ柱形態で長く両方に分割されて上記突起軸４３の挟みを許容する分割面３２と、上記分割面３２の内面に対向されるように形成された一対のウェッジ係止突起３３と、上記分割面３２の先端部に形成されて上記爪切り刃体２０の支持軸ホール２３側の底面に係止される係止顎３４と、上記分割面３２に挟まれてウェッジ係止突起３３に結合される係止ホール３５ａを有するウェッジ３５を含む。
【００８０】
この時、ウェッジ３５の長さは支持軸３０のヘッド部３１に突起軸４３が位置するのにおいて、妨げにならないように分割面３２の長さより小さく構成される。
【００８１】
上記のように構成された支持軸３０が爪切り本体１０、刃体２０及び梃子４０に組み立てられる方法は次の通りである。
【００８２】
まず、支持軸３０を梃子４０の突起軸４３に挟む。この時、梃子４０の突起軸４３は支持軸３０の分割面３２を介して挿入されてヘッド部３１内に位置させる。
【００８３】
次に、梃子４０に結合された支持軸３０を爪切り本体１０の支持軸ホール１１と刃体２０の支持軸ホール２３とに挿入する。この時、刃体２０は上部刃体２５のクリック突起２５ａを本体１０側の刃体突出シート１４のクリック溝１３に位置させた状態で組み立てられる。このようになると、下部刃体２６の底面に支持軸３０の先端側係止顎３４が露出される。その後、ウェッジ３５を支持軸３０の分割面３２を介して挟み込んで組立が完了し、この時、支持軸３０に結合されたウェッジ３５はウェッジ３５側の係止ホール３５ａに支持軸３０側の係止突起３３が結合され、支持軸３０側の係止顎３４が開かれ、刃体２０の下部刃体２６の底面に確固に係止されて抜けないようになる。
【００８４】
このように、支持軸３０に分割面３２構造をおき、この分割面３２に梃子４０の突起軸４３が結合され、ウェッジ３５の結合で支持軸３０の離脱を防止する構造をおくことは、組立が非常に簡単であり、組立後堅固な構造を維持するためである。
【００８５】
他方、本発明の爪切り１００は爪手入れ道具５０が更に含まれることができる。
【００８６】
図４に図示された爪手入れ道具５０は一例を示したものである。この爪手入れ道具５０は爪切り本体１０の後端に形成された収納部１９に着脱可能に結合されるように構成したものである。
【００８７】
上記爪手入れ道具５０は、一端に鑢板安着部５１と、この鑢板安着部５１から延長され、上記収納部１９の係止ホール１９ａに係止される係止顎５２ａが備えられた押圧ボタン部５２と、上記鑢板安着部５１から延長されると共に、押圧ボタン部５２の始めの端部でほぼＵ字形長孔５６を有して囲む摘み５３を有する道具本体５４と、上記道具本体５４の鑢板安着部５１に装着されている鑢板５５とから構成されている。
【００８８】
図２４、２５は爪手入れ道具５０の多様な変形例を図示したものであって、押し退け棒刃体５５ａまたは小型刀５５ｂなどから構成したものである。
【００８９】
上記爪手入れ道具５０において、長孔５６をおき、押圧ボタン部５２と摘み５３とを分離させておいたことは、摘み５３を握って押圧ボタン部５２を押圧した場合、押圧ボタン部５２が弾性的に撓まれて係止顎５２ａが爪切り本体１０の収納部１９側の係止ホール１９ａから容易く離脱可能なようにするためである。
【００９０】
他の実施例として、図２６のように、上記爪切り本体の後端には通常の爪手入れ道具５０Ａがカバー１０ａに装着され、本体１０Ａから水平回転開閉形でヒンジ結合されることができる。ここで、通常の爪手入れ道具５０Ａとは、小型刀、小型鋏、鑢のうち、少なくともいずれか一つ以上のものを意味することと理解され得る。
【００９１】
さらに他の実施例として、図２６のように、上記爪切り本体の後端には通常の爪手入れ道具５０Ｂがカバー１０ａに装着され、本体１０Ｂから上下回転開閉形でヒンジ結合されて構成されることができる。
【００９２】
上記爪切り本体１０Ａ、１０Ｂはその下部に、カバー１０ａ、１０ｂに爪手入れ道具５０Ａ、５０Ｂが位置され、カバー１０ａ、１０ｂを使用しない時には閉じられて本体の一部を構成する。
【００９３】
このように構成された本発明による爪切り１００の実施例の作用を説明する。
【００９４】
まず、爪切り１００は図１のように、梃子４０及び刃体２０が爪切り本体１０と並んで重ねられた状態で扱われることができる。この時、梃子４０の梃子支え部４１は上方に向けて爪切り本体１０に直接接触されない状態にある。
【００９５】
この状態で使用者は刃体２０を、まず所望の角度に合わせておいて使用することもできるが、梃子４０を図２のように立てて操作した後、刃体２０の回転角度を操作するのが良い。これは、実質的に爪切断中に刃体２０の角度を変えなければならない場合がもっと多いためである。
【００９６】
梃子４０を立て反らして元の位置に返しておくことになると、梃子４０は爪切り本体１０と一定の角度で立てられてほぼＶ字形をなすことになり、梃子４０側の梃子支え部４１は支持軸ホール１１に近づくようにして爪切り本体１０の上面に接触される。
【００９７】
ここで、梃子４０を返しておく時、回転される支持軸３０によって刃体２０が回転されない理由は、刃体２０側のクリック突起２５ａが爪切り本体１０側のクリック溝１３に弾性的に結着されているためである。
【００９８】
この状態で図２８のように、刃体２０の角度を使用者が望むことに合わせようとしたら、図３のように、一方の手で梃子４０と爪切り本体１０を握っている状態で他の一方の手で刃体２０の両側面を握り、刃体２０を回転操作させて所望の角度を合わせることができる。この時、刃体２０の周囲には側方及び下方に完全開放されており、障害物の干渉無しに指で任意角度に調節するのがとても容易である。
【００９９】
この時、刃体２０のクリック突起２５ａは爪切り本体１０側の該当するクリック溝１３に到達する時毎に刃体２０の角度を設定する機能をする。
【０１００】
所望の角度で刃体２０を操作した後、梃子４０を押圧することになると、支持軸３０と、梃子支え部４１の梃子作用によって刃体２０の上下部刃体２５、２６が、折り曲げ中心部２４を基準として弾性区間Ｌが稼動し、切断刃２１、２２が噛まれて爪を切ることになる。
【０１０１】
この時、補強リブ２７、２８は梃子作用で得た力を損失無しに切断刃２１、２２に伝達する機能を遂行する。また、この時、切られた爪が側方に飛ぶことになる場合、補強リブ２７、２８が遮断して外部への飛び防止が付加的になされる。
【０１０２】
従って、本発明によると、刃体２０の任意回転角度調節が可能であるため、爪に沿って手首を回したり、手の全体を動作させなければならない不便さ無しに小さい動作で便利に爪を切ることができる。特に、手でその反対側の爪を切らなければならない場合、もっと有用である。
【０１０３】
また、爪手入れ道具５０が爪切り本体１０の収納部１９に収納されており、爪切りを手で握る場合、鑢板５５が指に触れず、柔らかい感じを有することになる。
【０１０４】
なお、梃子４０の突起軸４３は支持軸３０に直接触れない支え軸４４で連結されており、凹部４２が開かれず、支持軸３０の離脱の恐れがまったくない。
【０１０５】
図３０乃至図３３は本発明の爪切りに対する他の実施例を図示したものである。
【０１０６】
上記爪切り本体１１０は板形態の金属から製作されるベース本体１１０Ａと、このベース本体１１０Ａと結合されて把持部の役割をする把持本体１１０Ｂとから構成され、上記ベース本体１１０Ａに支持軸３０を媒介にして梃子４０と爪切り刃体２０とが組み立てられて爪切り１００Ａを構成することになる。
【０１０７】
上記において、爪切り本体１１０にはベース把持本体１１０Ｂに結合されたベース本体１１０Ａ間に形成された収納部１２２を介して必要により爪手入れ道具５０を着脱可能に設けることができる。
【０１０８】
上記のように、爪切り本体１１０をベース本体１１０Ａと把持本体１１０Ｂとで２ピースとして金属から製作されたベース本体１１０Ａを介して刃体２０を組み立てることにより、先に説明された１ピースの爪切り本体１０に比べて刃体の回転シート１２を薄くすることができ、その製造費を節減することができる利点がある。
【０１０９】
上記ベース本体１１０Ａは一側に刃体２０が回転可能に位置される爪切り刃体回転シート１１２を有し、この部分に支持軸ホール１１１が貫通され、この支持軸ホール１１１の周りに形成された突出シート１１４と共にクリック溝１１３が形成され、他側には上記把持本体１１０Ｂと結合される段顎１１５と係止段顎１１６及び係止ホール１１７が順に形成される。
【０１１０】
これと対応する上記把持本体１１０Ｂは上記ベース本体１１０Ａをスライディング挿入させる案内溝１２０が形成され、上記  係止段顎１１６と対応する固定段顎１２１が形成され、案内溝１２０の下部には一定高さで爪手入れ道具５０を収納する収納部１２２が形成され、把持本体１１０Ｂの底面に弓形の把持部１２３が形成される。
【０１１１】
上記のように構成された爪切り本体１１０の組立はベース本体１１０Ａを把持本体１１０Ｂの案内溝１２０に沿ってスライディングさせて段顎１１５が把持本体１１０Ｂの一端と接触されるように押し込むことになると、係止段顎１１６が固定段顎１２１を乗り越えて係止されながら、固定がなされることになり、爪手入れ道具５０を収納部１２２に押し込むことになると、爪手入れ道具５０に形成された係止顎５２ａがベース本体１１０Ａの係止ホール１１７に着脱可能に係止されて装着される。
【０１１２】
上記に図示された爪手入れ道具５０はインサートされた爪鑢５５ｃを例示したものである。
【０１１３】
また、上記において、ベース本体１１０Ａの支持軸ホール１１１の周りに形成された突出シート１１４及びクリック溝１１３を無くす代わりに、図２３に例示されたワッシャー２９に代置して刃体２０の回転及び止まりを誘導することができる。
【０１１４】
図３４は爪切り本体の他の変形例を図示したものであって、これは、金属からなったベース本体１１０Ａを把持本体１１０Ｃにインサートして構成したものである。
【０１１５】
図３５の場合には、ベース本体１１０Ａがインサートされた把持本体１１０Ｄの形状が、指を入れて把持できる指把持部１２４が形成されて構成されたものである。
【０１１６】
上記のように、把持本体１１０Ｃ、１１０Ｄにベース本体１１０Ａをインサートで製作することにより、製造工程を簡単にして製造費を節減できる利点がある。
【０１１７】
図３６、図３７は本発明の爪切り本体の変形例の使用状態図及び使用前の状態図である。
【０１１８】
上記爪切り１００Ｂは爪切り本体１１０Ｅを中間におき、この本体１１０Ｅの上部には金属からなった梃子４０Ａが位置され、下部には上記爪切り本体２０が位置され、刃体２０が完全開放された形態となって支持軸３０を中心として刃体を回転させる時、障害物の干渉無しに３６０゜範囲内で一度に回転操作が可能なようにしたものである。
【０１１９】
上記爪切り本体１１０Ｅは板形態の金属材であって、一側平面上に形成された支持軸ホール１１ａから一定距離で下向きに折り曲げられて爪切り刃体を収容、回転可能なようにする爪切り刃体回転シート１２ａを形成し、上記一側平面と高さ段差１２ｂを有しながら、水平に折り曲げ延長されて指把持部１８ａを一体に形成したものである。
【０１２０】
図面符号５５ｄは爪鑢の目であり、５５ｅはポジション溝であり、４５は上記ポジション溝５５ｅに梃子４０Ａが位置、固定されるポジション突起である。
【０１２１】
上記図３６に図示された爪切り１００Ｂは全体を金属材で単純化させて製造費用を節減し、爪切り刃体２０の回転機能を維持させながらデザインを単純化させたものである。
【０１２２】
以上のように、本発明は例え限定された実施例と図面とによって説明されたが、本発明はこれにより限定されず、本発明の属する技術分野で通常の知識を持つ者によって本発明の技術思想と下に記載される請求の範囲の均等範囲内で多様な修正及び変形が可能であることは勿論である。
【産業上の利用可能性】
【０１２３】
上述したように、本発明の爪切りによると、支持軸を中心として刃体を回転させる時、障害物の干渉無しに指で直接刃体を握り、使用方向によって爪切り刃体を容易く回転させることができ、更に、梃子の回転時、刃体が共に回ることを防止し、使用中、刃体の任意回転が防止され、刃体を段階別角度で左右回転させることができて所望の角度で爪を便利に切ることができる。
【０１２４】
特に、爪切り刃体を薄い材料を使用して作ることができるので、刃体の材料費を大幅節減することができ、刃体を加工するプレスの寿命を向上させて多量生産による原価節減が可能であり、上下刃体部を折り曲げて作られた爪切りで柔らかい弾性の提供と、応力集中が防止されて刃体の折り曲げ中心部が折れることを防止し、刃体の両上下部の側端に補強リブを形成して刃体の切断力の損失を抑制し、付加的に、切断された爪の飛散が防止される。
【０１２５】
一方、梃子と支持軸の組立が簡単であり、梃子の支え軸は両突起軸と連結され、突起軸が開かれず、梃子が支持軸から離脱することができないし、これにより、製品の耐久力が大幅向上される効果を有する。
【０１２６】
また、支持軸を梃子の突起軸に挟み、本体の支持軸ホールに貫通させ、刃体の上下支持軸ホールに挟んだ後、支持軸分割面にウェッジを挿入してウェッジ係止突起に結合すれば、支持軸下端の外向き係止突起が下部刃体の底面に係止されて組み立てられ、組立が非常に容易であり、堅固であって製品の不良素地をなくす。
【図面の簡単な説明】
【０１２７】
【図１】本発明の一実施例による爪切りの斜視図である。
【図２】本発明の一実施例による爪切りの梃子を立てた状態での斜視図及び使用準備状態図である。
【図３】本発明の一実施例による爪切りの梃子を立てた状態での斜視図及び使用準備状態図である。
【図４】本発明の一実施例による爪切りの分解斜視図である。
【図５】本発明に適用される爪切り刃体の剛性区間と弾性区間とを示すための折り曲げ中心部を広げた状態図である。
【図６】図５に例示された刃体の他の変形例であって、折り曲げ中心部を広げた状態図である。
【図７】本発明に適用される爪切り刃体の多様な変形例示図である。
【図８】本発明に適用される爪切り刃体の多様な変形例示図である。
【図９】本発明に適用される爪切り刃体の多様な変形例示図である。
【図１０】本発明に適用される爪切り刃体の多様な変形例示図である。
【図１１】本発明に適用される爪切り刃体の多様な変形例示図である。
【図１２】本発明に適用される爪切り刃体の多様な変形例示図である。
【図１３】本発明に適用される爪切り刃体の多様な変形例示図である。
【図１４】本発明に適用される爪切り刃体の多様な変形例示図である。
【図１５】本発明に適用される爪切り刃体の多様な変形例示図である。
【図１６】本発明に適用される爪切り刃体の多様な変形例示図である。
【図１７】本発明に適用される爪切り刃体の多様な変形例示図である。
【図１８】本発明に適用される爪切り刃体の多様な変形例示図である。
【図１９】本発明に適用される爪切り刃体の多様な変形例示図である。
【図２０】本発明に適用される爪切り刃体の多様な変形例示図である。
【図２１】本発明に適用される上部刃体カバーの組立前、後による分離斜視図及び組立状態の斜視図である。
【図２２】本発明に適用される下部刃体カバーの組立前、後による分解斜視図及び組立状態の斜視図である。
【図２３】本発明に適用されるワッシャーの斜視図である。
【図２４】本発明に適用される爪手入れ道具の多様な形態を図示した斜視図である。
【図２５】本発明に適用される爪手入れ道具の多様な形態を図示した斜視図である。
【図２６】本発明に適用される爪切り手入れ道具の多様な構成図を図示した図面である。
【図２７】本発明に適用される爪切り手入れ道具の多様な構成図を図示した図面である。
【図２８】本発明に適用される爪切り刃体の使用状態図である。
【図２９】図１のＡ−Ａ線からみた支持軸と梃子との結合状態断面図である。
【図３０】本発明の他の実施例による爪切りの斜視図及び正面図である。
【図３１】本発明の他の実施例による爪切りの斜視図及び正面図である。
【図３２】本発明の変形された爪切り本体の分離斜視図である。
【図３３】図３２の爪切り本体が裏返された斜視図である。
【図３４】本発明の爪切り本体の変形例の正面図である。
【図３５】本発明の爪切り本体の変形例の正面図である。
【図３６】本発明の爪切り本体の変形例の使用状態図及び使用前の状態図である。
【図３７】本発明の爪切り本体の変形例の使用状態図及び使用前の状態図である。
【符号の説明】
【０１２８】
１０  爪切り本体
１１  支持軸ホール
２０  爪切り刃体
２１  切断刃
２２  切断刃
２３  支持軸ホール
２５  上部刃体
２６  下部刃体
３０  支持軸
４０  梃子
１００  爪切り
【図１】
0004596542.tif 000002
【図２】
0004596542.tif 000003
【図３】
0004596542.tif 000004
【図４】
0004596542.tif 000005
【図５】
0004596542.tif 000006
【図６】
0004596542.tif 000007
【図７】
0004596542.tif 000008
【図８】
0004596542.tif 000009
【図９】
0004596542.tif 000010
【図１０】
0004596542.tif 000011
【図１１】
0004596542.tif 000012
【図１２】
0004596542.tif 000013
【図１３】
0004596542.tif 000014
【図１４】
0004596542.tif 000015
【図１５】
0004596542.tif 000016
【図１６】
0004596542.tif 000017
【図１７】
0004596542.tif 000018
【図１８】
0004596542.tif 000019
【図１９】
0004596542.tif 000020
【図２０】
0004596542.tif 000021
【図２１】
0004596542.tif 000022
【図２２】
0004596542.tif 000023
【図２３】
0004596542.tif 000024
【図２４】
0004596542.tif 000025
【図２５】
0004596542.tif 000026
【図２６】
0004596542.tif 000027
【図２７】
0004596542.tif 000028
【図２８】
0004596542.tif 000029
【図２９】
0004596542.tif 000030
【図３０】
0004596542.tif 000031
【図３１】
0004596542.tif 000032
【図３２】
0004596542.tif 000033
【図３３】
0004596542.tif 000034
【図３４】
0004596542.tif 000035
【図３５】
0004596542.tif 000036
【図３６】
0004596542.tif 000037
【図３７】
0004596542.tif 000038